(57)【要約】【課題】衣類乾燥機の上方に干した洗濯物をむら無く、効率良く乾燥させる事を目的とする。【解決手段】乾燥空気３を吹出す吹出し口４に乾燥空気３の吹出し方向、吹出し領域と同じ方向に向けて光５を発する発光体６が設けられており、発光体６から発する光５に照らされた洗濯物２には乾燥空気３が届くため、ＬＥＤなどの発光体６から発する光５の範囲内へ洗濯物２を干すことにより洗濯物２をむら無く効率良く乾燥させることのできる衣類乾燥機を提供できる。【選択図】図１
2008188188.tif 000002
【特許請求の範囲】
【請求項１】
洗濯物に乾燥空気を吹出す衣類乾燥機において、乾燥空気の吹出し方向判別手段を備えた衣類乾燥機。
【請求項２】
洗濯物に乾燥空気を吹出す衣類乾燥機において、乾燥空気の吹出し領域判別手段を備えた衣類乾燥機。
【請求項３】
発光体と、乾燥空気の吹出し口と、前記乾燥空気の吹出し風向を変える風向変更板を備え、前記発光体が発する光の方向と前記風向変更板によって変化させた乾燥空気の吹出し方向とを一致させてなる衣類乾燥機。
【請求項４】
発光体と、乾燥空気の吹出し口と、前記乾燥空気の吹出し風向を変える風向変更板を備え、前記発光体が発する光の領域と前記風向変更板によって変化させた乾燥空気の吹出し領域とを一致させてなる衣類乾燥機。
【請求項５】
風向板を往復回動させる事により乾燥空気の吹出し方向を扇状に変化させる言わゆるスイング運転において、スイング送風運転の折り返し点で発光体の発光色を変化させてなる請求項１の衣類乾燥機。
【請求項６】
風向板を往復回動させる事により乾燥空気の吹出し方向を扇状に変化させる言わゆるスイング運転において、スイング送風運転の折り返し点で発光体の発光色を変化させてなる請求項２の衣類乾燥機。
【請求項７】
風向板のスイング送風運転において、スイング送風運転の折り返し点で発光体の発光を点滅させてなる請求項１の衣類乾燥機。
【請求項８】
風向板のスイング送風運転において、スイング送風運転の折り返し点で発光体の発光を点滅させてなる請求項２の衣類乾燥機。
【請求項９】
風向板をスイング動作において、スイング運転の折り返し点で発光体の発光輝度を変化させてなる請求項１の衣類乾燥機。
【請求項１０】
風向板をスイング動作において、スイング運転の折り返し点で発光体の発光輝度を変化させてなる請求項２の衣類乾燥機。
【発明の詳細な説明】
【技術分野】
【０００１】
本発明は、洗濯した衣類の乾燥を目的とした衣類乾燥機などに関する。
【背景技術】
【０００２】
近年、生活の多様化から洗濯した衣類を室内干しする場合が増え室内干し専用洗剤とともに衣類乾燥機の需要が増えている。
【０００３】
従来この種の衣類乾燥機は、洗濯物を室外で干す場合と同じように多数の洗濯物を室内の高所にぶらさげ、床に置いた衣類乾燥機から上方向へ吹出す乾燥空気を洗濯物に当てて乾燥させる。（例えば、特許文献１参照）以下、その衣類乾燥機について図５を参照しながら説明する。
【０００４】
乾燥させる多数の洗濯物５１を室内高所にぶらさげ、床に置いた衣類乾燥機５２から上方向へ吹出す乾燥空気５３を洗濯物５１に当てて乾燥させる。この場合多数の洗濯物５１をむらなく乾燥させるために衣類乾燥機５２から吹出す乾燥空気５３を一方向だけでなく、衣類乾燥機の吹出し口５４に設けられた風向板５５をステッピングモーターとリンク機構を組合わせて矢印に示すような往復回動動作５７させたいわゆるスイング運転によって扇状の範囲に乾燥空気５３を吹出させて洗濯物５１の乾燥を行うものであった。
【特許文献１】特開２０００−２４０９７４号公報
【発明の開示】
【発明が解決しようとする課題】
【０００５】
このような従来の衣類乾燥機では、衣類乾燥機から吹出す乾燥空気の吹出す領域を判別するのが困難なため多数の洗濯物を干した場合、乾燥空気が吹出す領域に干された洗濯物は乾燥しても乾燥空気が吹出す領域より外に干された洗濯物は乾燥にむらがあったり、乾燥しないと言う課題があった。
【０００６】
本発明は、このような従来の課題を解決するもので、衣類乾燥機から乾燥空気の吹き出す領域を容易に判別可能とする事によって洗濯物をむら無く効率よく乾燥させる衣類乾燥機を提供することを目的とする。
【課題を解決するための手段】
【０００７】
前記課題を解決するために、本発明の衣類乾燥機は、発光体と、乾燥空気の吹出し口と、前記乾燥空気の吹出し風向を変える風向板からなり、前記発光体から発する光が洗濯物に当たるかどうかによって乾燥空気の吹出す方向を容易に判別できる構成としたものである。
【０００８】
この手段により、乾燥空気の吹出す方向を容易に判別可能にした衣類乾燥機が得られる。
【０００９】
また、帯状発光体と、乾燥空気の吹出し口と、前記乾燥空気の吹出し風向を変える風向板からなり、前記帯状発光体から発する光が洗濯物に当たるかどうかによって乾燥空気の吹出す領域を容易に判別できる構成としたものである。
【００１０】
この手段により、乾燥空気の吹出す領域を容易に判別可能にした衣類乾燥機が得られる。
【００１１】
また、風向板をスイング送風運転にした場合、スイング送風運転の折り返し点において発光色を変化させる構成としたものである。
【００１２】
この手段により、乾燥空気の吹出す方向または領域を容易に判別可能にした衣類乾燥機が得られる。
【００１３】
また、風向板をスイング送風運転させた場合、スイング送風運転の折り返し点において発光が点滅する構成としたものである。
【００１４】
この手段により、乾燥空気の吹出す方向または領域を容易に判別可能にした衣類乾燥機が得られる。
【００１５】
また、風向板をスイング送風運転させた場合、スイング送風運転の折り返し点において発光輝度が変化する構成としたものである。
【００１６】
この手段により、乾燥空気の吹出す方向または領域を容易に判別可能にした衣類乾燥機が得られる。
【発明の効果】
【００１７】
本発明によれば、衣類乾燥機から吹出す乾燥空気の吹出す方向または領域を容易に判別可能にできるので、乾燥空気の吹出す領域へ洗濯物を干す事ができ、洗濯物をむら無く効率よく乾燥する優れた衣類乾燥機を確保する事ができる。
【発明を実施するための最良の形態】
【００１８】
請求項１記載の発明は、乾燥空気の吹出す方向と同じ方向へ衣類乾燥機本体から光を照射し、乾燥空気の吹出す方向を容易に判別可能にする事により、乾燥空気の吹出す方向内に洗濯物を干す事ができ、洗濯物をむら無く効率よく乾燥させる作用を有する。
【００１９】
請求項２記載の発明は、乾燥空気の吹出す領域と同じ領域へ衣類乾燥機本体から光を照射し、乾燥空気の吹出す領域を容易に判別可能にする事により、乾燥空気の吹出す領域内に洗濯物を干す事ができ、洗濯物をむら無く効率よく乾燥させる作用を有する。
【００２０】
請求項３記載の発明は、風向変更板を往復回動させる事により乾燥空気の吹出す方向を扇状に変化させる言わゆるスイング送風運転をさせた場合、乾燥空気の吹出す方向と同じ方向へ衣類乾燥機本体から光を照射し、乾燥空気の吹出す方向を容易に判別可能になり、乾燥空気の吹出す方向内に洗濯物を干す事ができ、洗濯物をむら無く効率よく乾燥させる作用を有する。
【００２１】
請求項４記載の発明は、風向板をスイング送風運転させた場合、乾燥空気の吹出す領域と同じ方向へ衣類乾燥機本体から光を照射し、乾燥空気の吹出す領域を容易に判別可能になり、乾燥空気の吹出す領域内に洗濯物を干す事ができ、洗濯物をむら無く効率よく乾燥させる作用を有する。
【００２２】
請求項５記載の発明は、風向板をスイング送風運転させた場合、スイング送風運転の折り返し点において発光体の発光色を変化させる事により、乾燥空気の吹出す方向を容易に判別可能になり、乾燥空気の吹出す方向内に洗濯物を干す事ができ、洗濯物をむら無く効率よく乾燥させる作用を有する。
【００２３】
請求項６記載の発明は、風向板をスイング送風運転させた場合、スイング送風運転の折り返し点において発光体の発光色を変化させる事により、乾燥空気の吹出す領域を容易に判別可能になり、乾燥空気の吹出す領域内に洗濯物を干す事ができ、洗濯物をむら無く効率よく乾燥させる作用を有する。
【００２４】
請求項７記載の発明は、風向板をスイング送風運転させた場合、スイング送風運転の折り返し点において発光体の発光を点滅させる事により、乾燥空気の吹出す方向を容易に判別可能になり、乾燥空気の吹出す方向内に洗濯物を干す事ができ、洗濯物をむら無く効率よく乾燥させる作用を有する。
【００２５】
請求項８記載の発明は、風向板をスイング送風運転させた場合、スイング送風運転の折り返し点において発光体の発光を点滅させる事により、乾燥空気の吹出す領域を容易に判別可能になり、乾燥空気の吹出す領域内に洗濯物を干す事ができ、洗濯物をむら無く効率よく乾燥させる作用を有する。
【００２６】
請求項９記載の発明は、風向板をスイング送風運転させた場合、スイング送風運転の折り返し点において発光体の発光輝度を変化させる事により、乾燥空気の吹出す方向を容易に判別可能にする事により、乾燥空気の吹出す方向内に洗濯物を干す事ができ、洗濯物をむら無く効率よく乾燥させる作用を有する。
【００２７】
請求項１０記載の発明は、風向板をスイング送風運転させた場合、スイング送風運転の折り返し点において発光体の発光輝度を変化させる事により、乾燥空気の吹出す領域を容易に判別可能になり、乾燥空気の吹出す領域内に洗濯物を干す事ができ、洗濯物をむら無く効率よく乾燥させる作用を有する。
【００２８】
（実施形態１）
以下、本発明の実施形態について図１を参照しながら説明する。
【００２９】
図１においては、衣類乾燥機１を乾燥させる洗濯物２の下方に設置し、運転を開始させる。衣類乾燥機１の天面には乾燥空気３を吹出す吹出し口４があり、吹出し口４の近傍には乾燥空気３が吹出す方向と同一方向に向けて光５を発するＬＥＤ等の発光体６が設けられている。発光体６から発する光５に照らされた洗濯物２には吹出し口４から吹出された乾燥空気が届くため、使用者が乾燥空気の届く範囲を容易に判別できる。
【００３０】
（実施形態２）
実施の形態１と同一部分は同一番号を付し詳細な説明は省略する。図２においては、吹出し口４の近傍に乾燥空気３が吹出す領域と同一方向に向けて光５を発する発光体６が設けられている。発光体６から発する光５に照らされた洗濯物２には吹出し口４から吹出された乾燥空気が届くため、使用者が乾燥空気の届く範囲を容易に判別できる。
【００３１】
（実施形態３）
実施の形態１と同一部分は同一番号を付し詳細な説明は省略する。図３においては、乾燥空気３の吹出し風向を変える風向板８に乾燥空気３の吹出し方向と同一方向に向けて光５を発する発光体６が設けられている。風向板８をステッピングモーターとリンク機構を組合わせる等して矢印に示すような往復回動動作１０させ、乾燥空気３の吹出しを扇状に変化させるいわゆるスイング送風運転をさせた場合、発光体６および発光体６が発する光５も風向板８と共にスイング動作するため、発光体６から発する光５に照らされた洗濯物２には乾燥空気３が届き、使用者が乾燥空気３の届く範囲を容易に判別することができる。
【００３２】
（実施形態４）
実施の形態１と同一部分は同一番号を付し詳細な説明は省略する。図４においては、乾燥空気３の吹出し風向を変える風向変更板８に乾燥空気３の吹出し領域と同一領域に向けて光５を発する発光体６が設けられている。風向板８をスイング送風運転させた場合、発光体６および発光体６が発する光５も風向板８と共にスイング動作するため、発光体６から発する光５に照らされた洗濯物２には乾燥空気３が届き、使用者が乾燥空気の届く範囲を容易に判別することができる。
【００３３】
（実施形態５）
実施の形態１と同一部分は同一番号を付し詳細な説明は省略する。図３においては、乾燥空気３の吹出し風向を変える風向板８に乾燥空気３の吹出し方向と同一方向に向けて２色発光ＬＥＤからなる発光色を可変できる発光体６が設けられており、風向板８をスイング送風運転させた場合、乾燥空気が届く端が判別し易いようにスイングの折り返し点において発光体６の発光色を例えばそれまでの赤色から緑色に変化させる事により使用者が乾燥空気の届く範囲の端を容易に判別できるため、使用者が乾燥空気の届く範囲を容易に判別することができる。
【００３４】
（実施形態６）
実施の形態１と同一部分は同一番号を付し詳細な説明は省略する。図４においては、乾燥空気３の吹出し風向を変える風向板８に乾燥空気３の吹出し領域と同一領域に向けて２色発光ＬＥＤからなる発光色を可変できる発光体６が設けられており、風向板８をスイング動作させた場合、乾燥空気が届く端が判別し易いようにスイングの折り返し点において発光体６の発光色を例えばそれまでの赤色から緑色に変化させる事により使用者が乾燥空気の届く範囲の両端を容易に判別できるため、使用者が乾燥空気の届く範囲を容易に判別することができる。
【００３５】
（実施形態７）
実施の形態１と同一部分は同一番号を付し詳細な説明は省略する。図３においては、乾燥空気３の吹出し風向を変える風向板８に乾燥空気３の吹出し方向と同一方向に向けて発光体６が設けられており、風向板８をスイング動作させた場合、乾燥空気が届く端が判別し易いようにスイングの折り返し点において発光体６の発する光５を点滅させる事により、使用者が乾燥空気３の届く範囲を容易に判別することができる。
【００３６】
（実施形態８）
実施の形態１と同一部分は同一番号を付し詳細な説明は省略する。図４においては、乾燥空気３の吹出し風向を変える風向板８に乾燥空気３の吹出し領域と同一領域に向けて発光体６が設けられており、風向板８をスイング動作させた場合、乾燥空気が届く端が判別し易いようにスイングの折り返し点において発光体６の発する光５を点滅させる事により、使用者が乾燥空気３の届く範囲を容易に判別することができる。
【００３７】
（実施形態９）
実施の形態１と同一部分は同一番号を付し詳細な説明は省略する。図３においては、乾燥空気３の吹出し風向を変える風向板８に乾燥空気３の吹出し方向と同一方向に向けて発光体６が設けられており、風向板８をスイング動作させた場合、乾燥空気が届く端が判別し易いようにスイングの折り返し点において発光体６の発する光５の発光輝度を例えば負荷抵抗値を切替えて明暗を変化させる事により、使用者が乾燥空気３の届く範囲を容易にすることが判別できる。
【００３８】
（実施形態１０）
実施の形態１と同一部分は同一番号を付し詳細な説明は省略する。図４においては、乾燥空気３の吹出し風向を変える風向板８に乾燥空気３の吹出し領域と同一領域に向けて発光体６が設けられており、風向板８をスイング動作させた場合、乾燥空気が届く端が判別し易いようにスイングの折り返し点において発光体６の発する光５の発光輝度を例えば負荷抵抗値を切替えて明暗を変化させる事により、使用者が乾燥空気３の届く範囲を容易にすることが判別できる。
【産業上の利用可能性】
【００３９】
本発明にかかる衣類乾燥機は、衣類乾燥機から乾燥空気の届く範囲が容易に判別できる為、乾燥空気が届く範囲内へ洗濯物を干す事によって衣類をむら無く効率良く乾燥させる事ができ、使い勝手に対して有用であり、家庭用、業務用等の用途にも適用できる。
【図面の簡単な説明】
【００４０】
【図１】本発明の実施形態１の衣類乾燥機の構造を示す斜視図
【図２】本発明の実施形態２の衣類乾燥機の構造を示す斜視図
【図３】本発明の実施形態３、５、７、９の衣類乾燥機の構造を示す斜視図
【図４】本発明の実施形態４、６、８、１０の衣類乾燥機の構造を示す斜視図
【図５】従来の衣類乾燥機の実施形態を示す斜視図
【符号の説明】
【００４１】
１    衣類乾燥機
２    洗濯物
３    乾燥空気
４    吹出し口
５    光
６    発光体
８    風向板
１０  往復回動動作
【図１】
2008188188.tif 000003
【図２】
2008188188.tif 000004
【図３】
2008188188.tif 000005
【図４】
2008188188.tif 000006
【図５】
2008188188.tif 000007